(57)【特許請求の範囲】
【請求項１】
ＣＤＭＡ（Ｃｏｄｅ  Ｄｉｖｉｓｉｏｎ  Ｍｕｌｔｉｐｌｅ  Ａｃｃｅｓｓ）方式の移動通信において少なくとも通信中のサービスベアラの追加及び削除とデータ通信レートの変更と拡散コードの変更とのうちのいずれかによるネットワークと移動通信端末との間のチャネル切替シーケンスを行うためのチャネル切替方法であって、
前記ネットワークから前記チャネル切替えが指示された時にチャネル切替え前のチャネル設定パラメータを使用したデータ受信及び同期判定とチャネル切替え後のチャネル設定パラメータを使用したデータ受信及び同期判定とを同時に行って前記ネットワークが前記チャネル切替えを行ったかどうかを判定し、前記ネットワークと前記移動通信端末とのチャネル切替タイミングを合わせることを特徴とするチャネル切替方法。
【請求項２】
前記チャネル切替えは、前記移動通信端末が通信中に行われる物理的な通信フォーマットの変更であることを特徴とする請求項１記載のチャネル切替方法。
【請求項３】
前記チャネル切替え後のチャネル設定パラメータで受信したデータの同期判定結果が正常の時に前記ネットワークにおけるチャネル切替えが完了したと判定することを特徴とする請求項１または請求項２記載のチャネル切替方法。
【請求項４】
前記チャネル切替え後のチャネル設定パラメータで受信したデータの同期判定結果が異常となりかつ前記チャネル切替え前のチャネル設定パラメータで受信したデータの同期判定結果が正常の時に前記ネットワークにおけるチャネル切替えが完了していないと判定することを特徴とする請求項１または請求項２記載のチャネル切替方法。
【請求項５】
前記ネットワークにおけるチャネル切替えが完了したと判定した時に前記チャネル切替え前のチャネル設定パラメータを使用したデータ受信及び同期判定を停止し、前記チャネル切替え後のチャネル設定パラメータを使用したデータ受信及び同期判定を継続することを特徴とする請求項１から請求項３のいずれか記載のチャネル切替方法。
【請求項６】
前記ネットワークにおけるチャネル切替えが完了していないと判定した時に前記チャネル切替え後のチャネル設定パラメータを使用したデータ受信及び同期判定を停止し、前記チャネル切替え前のチャネル設定パラメータを使用したデータ受信及び同期判定を継続することを特徴とする請求項１と請求項２と請求項４とのいずれか記載のチャネル切替方法。
【請求項７】
前記同期判定の結果が異常であるユーザデータを破棄し、前記同期判定の結果が正常であるユーザデータのみを処理することを特徴とする請求項１から請求項６のいずれか記載のチャネル切替方法。
【請求項８】
ＣＤＭＡ（Ｃｏｄｅ  Ｄｉｖｉｓｉｏｎ  Ｍｕｌｔｉｐｌｅ  Ａｃｃｅｓｓ）方式の移動通信において少なくとも通信中のサービスベアラの追加及び削除とデータ通信レートの変更と拡散コードの変更とのうちのいずれかによるネットワークとの間のチャネル切替シーケンスを行う移動通信端末であって、
前記ネットワークから前記チャネル切替えが指示された時にチャネル切替え前のチャネル設定パラメータを使用してデータ受信及び同期判定を行う第１の受信機と、前記ネットワークから前記チャネル切替えが指示された時にチャネル切替え後のチャネル設定パラメータを使用してデータ受信及び同期判定を行う第２の受信機とを有し、
前記第１及び第２の受信機が同時に前記データ受信及び同期判定を行って前記ネットワークが前記チャネル切替えを行ったかどうかを判定し、前記ネットワークとのチャネル切替タイミングを合わせることを特徴とする移動通信端末。
【発明の詳細な説明】
【０００１】
【発明の属する技術分野】
本発明はチャネル切替方法及びそれを用いた移動通信端末に関し、特に物理的なデータフォーマットの変更をネットワーク（無線基地局及び基地局制御局等）と移動通信端末とが同時に行うチャネル切替えに関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ：符号分割多元接続）方式の移動通信端末においては、通信中にサービスベアラの追加や削除、データ通信レートの変更、または拡散コードの変更等のために、物理的なデータフォーマットの変更を行う場合（以下、これらを総称してチャネル切替えとする）、ネットワーク（無線基地局及び基地局制御局等）と移動通信端末とが同時にチャネル切替えを行わなければならない。
【０００３】
例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元接続）方式の移動通信端末において、トラフィックデータ通信レートを３２ｋｂｐｓ→６４ｋｂｐｓに切替える場合の物理的な受信データフォーマットを図４に示す。
【０００４】
図４において、レート切替え前のデータフォーマットをＣＨ−Ａ（トラフィックデータレート：３２ｋｂｐｓ、制御信号を含む物理ビットレート：１２０ｋｂｐｓ）、レート切替え後のデータフォーマットをＣＨ−Ｂ（トラフィックデータレート：６４ｋｂｐｓ、制御信号を含む物理ビットレート：２４０ｋｂｐｓ  ）とする。
【０００５】
Ｄａｔａはトラフィックデータ、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）及びＴＰＣ（Ｔｒａｎｓｍｉｔ  Ｐｏｗｅｒ  Ｃｏｎｔｒｏｌ）はレイヤ１制御信号、Ｐｉｌｏｔは基地局との同期判定に使用する制御信号（既知のビットパターン：パイロット信号）である。
【０００６】
上述した従来のチャネル切替えのシーケンスを図５に示す。図５において、ネットワークと移動通信端末（ＭＳ：Ｍｏｂｉｌｅ  Ｓｔａｔｉｏｎ）との間で、あるデータフォーマット（ＣＨ−Ａ）で通信中に（図５のａ１）、別のデータフォーマット（ＣＨ−Ｂ）に切替えを行う場合、まず、ネットワークから移動通信端末に対して、データフォーマット（ＣＨ−Ａ）からデータフォーマット（ＣＨ−Ｂ）への切替えの指示を出す（図５のａ２）。この時、ネットワークと移動通信端末とが同時に切替えを行えるように、切替えのタイミング情報も合わせて指示を出す。
【０００７】
切替指示を受信した移動通信端末は、応答（ＡＣＫ：ａｃｋｎｏｗｌｅｄｇｅｍｅｎｔ）を返してから（図５のａ３）、切替タイミングを待ってデータフォーマット（ＣＨ−Ａ）からデータフォーマット（ＣＨ−Ｂ）への切替動作を行う（図５のａ５）。
【０００８】
一方、ネットワークは応答（ＡＣＫ）を受信することで、移動通信端末がデータフォーマット（ＣＨ−Ａ）からデータフォーマット（ＣＨ−Ｂ）への切替動作を行うことを確認し、切替タイミングを待ってデータフォーマット（ＣＨ−Ａ）からデータフォーマット（ＣＨ−Ｂ）への切替動作を行う（図５のａ４）。
【０００９】
移動通信端末はデータフォーマット（ＣＨ−Ｂ）への切替え後、データフォーマット（ＣＨ−Ｂ）のパイロット信号を使用して受信信号の同期確立判定を行い、同期確立がＯＫ（正常）となった時点で（図５のａ６）、データフォーマット（ＣＨ−Ａ）からデータフォーマット（ＣＨ−Ｂ）への切替完了をネットワークに対して通知する（図５のａ７，ａ８）。
【００１０】
【発明が解決しようとする課題】
上述した従来のチャネル切替方法では、図６に示すように、チャネル切替えを失敗することがある。まず、ネットワークから移動通信端末に対して、データフォーマット（ＣＨ−Ａ）からデータフォーマット（ＣＨ−Ｂ）への切替えの指示を出す（図６のｂ１，ｂ２）。この時、ネットワークと移動通信端末とが同時に切替えを行えるように、切替えのタイミング情報も合わせて指示を出す。
【００１１】
切替指示を受信した移動通信端末は応答（ＡＣＫ）を返してから（図６のｂ３）、切替タイミングを待ってデータフォーマット（ＣＨ−Ａ）からデータフォーマット（ＣＨ−Ｂ）への切替動作を行う（図６のｂ４）。
【００１２】
ここで、ネットワークが何らかの原因で応答（ＡＣＫ）を受信することができなかった場合、移動通信端末がデータフォーマット（ＣＨ−Ａ）からデータフォーマット（ＣＨ−Ｂ）への切替動作を行うことを確認することができないため、ネットワークは切替タイミングが来てもデータフォーマット（ＣＨ−Ａ）からデータフォーマット（ＣＨ−Ｂ）への切替動作を行わない。移動通信においては、無線区間におけるフェージングや干渉等によって信号受信に失敗することが頻繁に起こりうる。
【００１３】
一方、移動通信端末はデータフォーマット（ＣＨ−Ｂ）への切替え後、データフォーマット（ＣＨ−Ｂ）のパイロット信号を使用して受信信号の同期確立判定を行うが、ネットワークはデータフォーマット（ＣＨ−Ａ）のままなので、同期確立がＮＧ（異常）となる（図６のｂ５）。
【００１４】
その後、ネットワークはタイマによって、移動通信端末に対してデータフォーマット（ＣＨ−Ｂ）への切替指示を再送するが（図６のｂ６，ｂ７）、移動通信端末はすでにデータフォーマット（ＣＨ−Ｂ）への切替えを行っているので、切替指示を受信することができず、結局、通信が切断されてしまう（図６のｂ８）。
【００１５】
そこで、本発明の目的は上記の問題点を解消し、チャネル切替シーケンスの成功率を上げることができるチャネル切替方法及びそれを用いた移動通信端末を提供することにある。
【００１６】
また、本発明の他の目的は、チャネル切替え時のユーザデータのエラー発生確率を低減することができるチャネル切替方法及びそれを用いた移動通信端末を提供することにある。
【００１７】
【課題を解決するための手段】
本発明によるチャネル切替方法は、ＣＤＭＡ（Ｃｏｄｅ  Ｄｉｖｉｓｉｏｎ  Ｍｕｌｔｉｐｌｅ  Ａｃｃｅｓｓ）方式の移動通信において少なくとも通信中のサービスベアラの追加及び削除とデータ通信レートの変更と拡散コードの変更とのうちのいずれかによるネットワークと移動通信端末との間のチャネル切替シーケンスを行うためのチャネル切替方法であって、
前記ネットワークから前記チャネル切替えが指示された時にチャネル切替え前のチャネル設定パラメータを使用したデータ受信及び同期判定とチャネル切替え後のチャネル設定パラメータを使用したデータ受信及び同期判定とを同時に行って前記ネットワークが前記チャネル切替えを行ったかどうかを判定し、前記ネットワークと前記移動通信端末とのチャネル切替タイミングを合わせている。
【００１８】
本発明による移動通信端末は、ＣＤＭＡ（Ｃｏｄｅ  Ｄｉｖｉｓｉｏｎ  Ｍｕｌｔｉｐｌｅ  Ａｃｃｅｓｓ）方式の移動通信において少なくとも通信中のサービスベアラの追加及び削除とデータ通信レートの変更と拡散コードの変更とのうちのいずれかによるネットワークとの間のチャネル切替シーケンスを行う移動通信端末であって、
前記ネットワークから前記チャネル切替えが指示された時にチャネル切替え前のチャネル設定パラメータを使用してデータ受信及び同期判定を行う第１の受信機と、前記ネットワークから前記チャネル切替えが指示された時にチャネル切替え後のチャネル設定パラメータを使用してデータ受信及び同期判定を行う第２の受信機とを備え、
前記第１及び第２の受信機が同時に前記データ受信及び同期判定を行って前記ネットワークが前記チャネル切替えを行ったかどうかを判定し、前記ネットワークとのチャネル切替タイミングを合わせている。
【００１９】
すなわち、本発明のチャネル切替方法は、ＣＤＭＡ（Ｃｏｄｅ  Ｄｉｖｉｓｉｏｎ  Ｍｕｌｔｉｐｌｅ  Ａｃｃｅｓｓ：符号分割多元接続）方式の移動通信端末において、１つ以上のフィンガ部と同期判定部とを持つ２系統の受信部を構成し、チャネル切替え時において、切替え前及び切替え後のそれぞれのチャネル設定でデータ受信及び同期判定を行うことによって、ネットワークがチャネル切替えを行ったかどうかを判定し、ネットワークと移動通信端末とのチャネル切替タイミングを合わせることが可能となるので、通信中のサービスベアラの追加や削除、データ通信レートの変更、または拡散コードの変更等によるチャネル切替シーケンスの成功率を上げることが可能となる。
【００２０】
また、本発明のチャネル切替方法では、ＣＤＭＡ方式の移動通信端末に１つ以上のフィンガ部と同期判定部とを持つ２系統の受信部を構成し、チャネル切替え時において、切替え前及び切替え後のそれぞれのチャネル設定でデータ受信及び同期判定を行い、同期判定結果がＮＧ（異常）である受信部のユーザデータを破棄し、同期判定結果がＯＫ（正常）である受信部のユーザデータのみを処理することで、ＣＤＭＡ方式の移動通信端末において、チャネル切替え時のユーザデータのエラー発生確率を低減することが可能となる。
【００２１】
より具体的に説明すると、本発明のチャネル切替方法では、ネットワークから移動通信端末に対して、データフォーマット（ＣＨ−Ａ）からデータフォーマット（ＣＨ−Ｂ）への切替えの指示が出されると、切替指示を受信した移動通信端末は、応答（ＡＣＫ：ａｃｋｎｏｗｌｅｄｇｅｍｅｎｔ）を返してから、切替タイミングを待ってデータフォーマット（ＣＨ−Ａ）からデータフォーマット（ＣＨ−Ｂ）への切替動作を行う。
【００２２】
但し、移動通信端末の受信部を受信部＃１と受信部＃２との二つに分けて、送信部及び受信部＃１のみデータフォーマット（ＣＨ−Ａ）からデータフォーマット（ＣＨ−Ｂ）への切替動作を行い、受信部＃２はデータフォーマット（ＣＨ−Ａ）のまま保持する。また、ネットワークと移動通信端末とが同時に切替えを行えるように、切替えのタイミング情報も合わせて指示が出される。
【００２３】
ここで、ネットワークが何らかの原因で、例えば無線区間におけるフェージングや干渉等によって応答（ＡＣＫ）を受信することができなかった場合、移動通信端末がデータフォーマット（ＣＨ−Ａ）からデータフォーマット（ＣＨ−Ｂ）への切替動作を行うことを確認することができないため、ネットワークは切替タイミングが来てもデータフォーマット（ＣＨ−Ａ）からデータフォーマット（ＣＨ−Ｂ）への切替動作を行わない。
【００２４】
一方、移動通信端末の受信部＃１はデータフォーマット（ＣＨ−Ｂ）への切替え後、データフォーマット（ＣＨ−Ｂ）のパイロット信号を使用して受信信号の同期確立の判定を行うが、ネットワークはデータフォーマット（ＣＨ−Ａ）のままなので、同期確立がＮＧとなる。
【００２５】
データフォーマット（ＣＨ−Ｂ）へのチャネル切替えを行った受信部＃１の同期がＮＧとなった場合、チャネル切替えを行わずに、データフォーマット（ＣＨ−Ａ）のまま保持した受信部＃２がデータフォーマット（ＣＨ−Ａ）のパイロット信号を使用して受信信号の同期判定を行う。
【００２６】
受信部＃２の同期判定がＯＫとなった場合、移動通信端末は送信部及び受信部＃１を再びデータフォーマット（ＣＨ−Ｂ）からデータフォーマット（ＣＨ−Ａ）へ切替える。この場合、同期判定がＮＧの時の受信部＃１の受信データは破棄し、同期判定ＯＫの受信部＃２の受信データのみを処理することによって、受信エラーフリーの通信を続けることが可能となる。
【００２７】
その後、ネットワークはタイマによって、移動通信端末に対してデータフォーマット（ＣＨ−Ａ）からデータフォーマット（ＣＨ−Ｂ）への切替指示を再送する。再び、切替指示を受信した移動通信端末は応答（ＡＣＫ）を返してから、切替タイミングを待ってデータフォーマット（ＣＨ−Ａ）からデータフォーマット（ＣＨ−Ｂ）への切替動作を行う。但し、先ほどと同様に、移動通信端末の受信部を受信部＃１と受信部＃２との二つに分けて、送信部及び受信部＃１のみデータフォーマット（ＣＨ−Ａ）からデータフォーマット（ＣＨ−Ｂ）への切替動作を行い、受信部＃２はデータフォーマット（ＣＨ−Ａ）のまま保持する。
【００２８】
一方、ネットワークは応答（ＡＣＫ）を受信することで、移動通信端末がデータフォーマット（ＣＨ−Ａ）からデータフォーマット（ＣＨ−Ｂ）への切替動作を行うことを確認し、切替タイミングを待ってデータフォーマット（ＣＨ−Ａ）からデータフォーマット（ＣＨ−Ｂ）への切替動作を行う。
【００２９】
移動通信端末の受信部＃１はデータフォーマット（ＣＨ−Ｂ）への切替え後、データフォーマット（ＣＨ−Ｂ）のパイロット信号を使用して受信信号の同期確立の判定を行い、今度はネットワークもデータフォーマット（ＣＨ−Ｂ）へ切替えているので、同期確立がＯＫとなる。データフォーマット（ＣＨ−Ｂ）へのチャネル切替えを行った受信部＃１の同期がＯＫとなった場合、データフォーマット（ＣＨ−Ａ）からデータフォーマット（ＣＨ−Ｂ）への切替完了をネットワークに対して通知する。
【００３０】
同時に、チャネル切替えを行わずに、データフォーマット（ＣＨ−Ａ）のまま保持した受信部＃２もデータフォーマット（ＣＨ−Ａ）からデータフォーマット（ＣＨ−Ｂ）への切替動作を行う。この場合、データフォーマット（ＣＨ−Ａ）を保持したまま受信した時の受信部＃２の受信データは破棄し、同期判定がＯＫの受信部＃１の受信データのみを処理することによって、受信エラーフリーの通信を続けることができる。
【００３１】
上記のチャネル切替方法を実現するために、移動通信端末において二つの受信部（受信部＃１及び受信部＃２）を持つ必要がある。ＣＤＭＡ移動通信端末においては、一般に、マルチパス受信やソフトハンドオーバを行うために、複数のフィンガ受信機を持っているため、１つ以上のフィンガ受信機にパイロット信号を使用した同期判定部を組合わせた受信部を二つ構成することで実現することが可能となる。各フィンガ受信機はチャネル切替え時以外の場合、通常の動作を行う（マルチパス受信やソフトハンドオーバ等）。
【００３２】
【発明の実施の形態】
次に、本発明の実施例について図面を参照して説明する。図１は本発明の一実施例による移動通信端末の構成を示すブロック図である。図１において、本発明の一実施例による移動通信端末はアンテナ１と、無線部２と、受信部（＃１）３−１と、受信部（＃２）３−２と、合成部４と、データ処理部５と、送信部６と、制御部７とから構成されている。
【００３３】
無線部２はアンテナ１を介して図示せぬ無線基地局からの無線信号を受信すると、その信号に対して周波数のダウンコンバート、データの直交復調、Ａ／Ｄ（アナログ／ディジタル）変換等を行い、チップレートの受信データを受信部（＃１）３−１及び受信部（＃２）３−２へ渡す。また、無線部２は送信部６からのチップレートの送信データをＤ／Ａ（ディジタル／アナログ）変換し、データの直交変調、周波数のアップコンバート等を行い、無線信号として無線基地局へ送信する。
【００３４】
受信部（＃１）３−１は１つ以上のフィンガ（＃１〜＃ｍ）（１≦ｍ）部３１−１〜３１−ｍと、合成部３２−１と、同期判定部３３−１とから構成されている。
【００３５】
フィンガ（＃１〜＃ｍ）部３１−１〜３１−ｍは無線部２からのチップレートの受信データに対して逆拡散や位相補正を行い、シンボルレートの受信データを生成して合成部３２−１へ渡す。この場合、フィンガ（＃１〜＃ｍ）部３１−１〜３１−ｍは逆拡散コードやシンボルレート等のチャネル設定パラメータを制御部７からもらう。
【００３６】
合成部３２−１はフィンガ（＃１〜＃ｍ）部３１−１〜３１−ｍからのシンボルレートの受信データを合成し、パイロットシンボル（既知のシンボル）を同期判定部３３−１へ、データシンボルを合成部４へ渡す。この場合、合成部３２−１は受信データのフォーマット（シンボルレート、パイロットシンボル数、データシンボル数等）、合成するフィンガ情報を制御部７からもらう。但し、ｍ＝１の場合、合成部３２−１は必要ない。
【００３７】
同期判定部３３−１は合成部３２−１からのパイロットシンボルを既知のシンボルパターンと比較して同期判定を行い、その判定結果を合成部４及び制御部７へ報告する。例えば、同期判定部３３−１はＴｐｌ［ｓｅｃ］の間にＮｐｌ個以上のパイロットシンボルが誤っていたら同期ＮＧ（異常）と判定する等を行い、上記のパラメータを制御部７からもらう。
【００３８】
また、同期判定部３３−１は合成部３２−１からのパイロットシンボルではなく、各フィンガ（＃１〜＃ｍ）部３１−１〜３１−ｍからのパイロットシンボルで同期判定を行ってもよい。
【００３９】
受信部（＃２）３−２は１つ以上のフィンガ（＃ｍ＋１〜＃ｎ）（１≦ｍ、ｍ＋１＜ｎ）部３１−（ｍ＋１）〜３１−ｎと、合成部３２−２と、同期判定部３３−２とから構成されている。
【００４０】
フィンガ（＃ｍ＋１〜＃ｎ）部３１−（ｍ＋１）〜３１−ｎは無線部２からのチップレート受信データに対して逆拡散や位相補正を行い、シンボルレートの受信データを生成して合成部３２−２へ渡す。この場合、フィンガ（＃ｍ＋１〜＃ｎ）部３１−（ｍ＋１）〜３１−ｎは逆拡散コードやシンボルレート等のチャネル設定パラメータを制御部７からもらう。
【００４１】
合成部３２−２はフィンガ（＃ｍ＋１〜＃ｎ）部３１−（ｍ＋１）〜３１−ｎからのシンボルレートの受信データを合成し、パイロットシンボル（既知のシンボル）を同期判定部３３−２へ、データシンボルを合成部４へ渡す。この場合、合成部３２−２は受信データのフォーマット（シンボルレート、パイロットシンボル数、データシンボル数等）、合成するフィンガ情報を制御部７からもらう。但し、ｍ＝１の場合、合成部３２−２は必要ない。
【００４２】
同期判定部３３−２は合成部３２−２からのパイロットシンボルを既知のシンボルパターンと比較して同期判定を行い、その判定結果を合成部４及び制御部７へ報告する。例えば、同期判定部３３−２はＴｐｌ［ｓｅｃ］の間にＮｐｌ個以上のパイロットシンボルが誤っていたら同期ＮＧと判定する等を行い、上記のパラメータを制御部７からもらう。
【００４３】
また、同期判定部３３−２は合成部３２−２からのパイロットシンボルではなく、各フィンガ（＃ｍ＋１〜＃ｎ）部３１−（ｍ＋１）〜３１−ｎからのパイロットシンボルから同期判定を行ってもよい。
【００４４】
合成部４は受信部（＃１）３−１（合成部３２−１）、受信部（＃２）３−２（合成部３２−２）からの受信データシンボルを合成し、データ処理部５へ渡す。但し、合成部４は同期判定部３３−１や同期判定部３３−２からの同期判定結果がＮＧでれば、その受信部（＃１）３−１、受信部（＃２）３−２からの受信データシンボルを合成しない。
【００４５】
また、合成部４は制御部７からの指示にしたがって、合成せずに受信部（＃１）３−１または受信部（＃２）３−２のどちらか一方の受信データシンボルをデータ処理部５へ渡す場合やどちらもデータ処理部５へ渡さない場合もある。
【００４６】
さらに、合成部４は受信ＳＩＲ（Ｓｉｇｎａｌ  ｔｏ  Ｉｎｔｅｒｆｅｒｅｎｃｅ  ｐｏｗｅｒ  Ｒａｔｉｏ）の測定やＴＰＣ（Ｔｒａｎｓｍｉｔ  Ｐｏｗｅｒ  Ｃｏｎｔｒｏｌ）による送信電力制御等の機能も持つが、本発明とは直接関係しないので、その説明については省略する。
【００４７】
データ処理部５は合成部４からの受信データシンボルの処理を行い、受信した制御データ（レイヤ３メッセージ等）を制御部７へ送り、送信データを送信部６へ送る。この場合、データ処理部５は制御部７から送信する制御データ（レイヤ３メッセージ等）をもらったり、ユーザデータ（トラフィックデータ）の送受信の処理も行う。
【００４８】
送信部６はデータ処理部５からの送信データのエラー訂正符号化、物理チャネルへのマッピング、拡散等を行い、その結果を無線部２へ渡す。
【００４９】
制御部７は上記の各ブロックの制御を行う。すなわち、制御部７は受信部（＃１）３−１、受信部（＃２）３−２各々へ、チャネル設定用パラメータ（逆拡散コードや受信データのシンボルレート、パイロットシンボル数、ユーザデータシンボル数等）、合成するフィンガ情報、同期判定用のパラメータ等を設定し、受信部（＃１）３−１、受信部（＃２）３−２各々から同期判定結果をもらう。
【００５０】
また、制御部７は合成部４に対して、受信部（＃１）３−１、受信部（＃２）３−２各々からの受信データシンボルを合成するか、合成せずにどちらか一方の受信データシンボルを選択するか、またはどちらも選択しないかを設定することができる。
【００５１】
さらに、制御部７はデータ処理部５との間で、制御データ（レイヤ３メッセージ等）のやり取りを行い、送信部６に対してチャネル設定用パラメータ（拡散コードや送信ユーザデータのシンボルレート等）、符号化用のパラメータ等を設定する。
【００５２】
図２は本発明の一実施例によるチャネル切替動作を示すシーケンスチャートである。これら図１及び図２を参照して本発明の一実施例によるチャネル切替動作について説明する。
【００５３】
まず、ネットワークから移動通信端末に対して、データフォーマット（ＣＨ−Ａ）からデータフォーマット（ＣＨ−Ｂ）への切替えの指示を出す（図２のＣ１〜Ｃ３）。この時、ネットワークと移動通信端末とが同時に切替えを行えるように、切替えのタイミング情報も合わせて指示を出す。
【００５４】
切替指示を受信した移動通信端末は応答（ＡＣＫ）を返してから（図２のＣ４）、切替タイミングを待ってデータフォーマット（ＣＨ−Ａ）からデータフォーマット（ＣＨ−Ｂ）への切替動作を行う。但し、移動通信端末の受信部を受信部（＃１）３−１と受信部（＃２）３−２との二つに分けて、送信部６及び受信部（＃１）３−１のみデータフォーマット（ＣＨ−Ａ）からデータフォーマット（ＣＨ−Ｂ）への切替動作を行い（図２のＣ５，Ｃ６）、受信部（＃２）３−２はデータフォーマット（ＣＨ−Ａ）のまま保持する（図２のＣ７）。
【００５５】
ここで、ネットワークが何らかの原因で、例えば無線区間におけるフェージングや干渉等によって応答（ＡＣＫ）を受信することができなかった場合、移動通信端末がデータフォーマット（ＣＨ−Ａ）からデータフォーマット（ＣＨ−Ｂ）への切替動作を行うことを確認することができないため、ネットワークは切替タイミングが来てもデータフォーマット（ＣＨ−Ａ）からデータフォーマット（ＣＨ−Ｂ）への切替動作を行わない。
【００５６】
一方、移動通信端末の受信部（＃１）３−１はデータフォーマット（ＣＨ−Ｂ）への切替え後、データフォーマット（ＣＨ−Ｂ）のパイロット信号を使用して受信信号の同期確立判定を行うが、ネットワークはデータフォーマット（ＣＨ−Ａ）のままなので、同期確立がＮＧとなる（図２のＣ８）。
【００５７】
データフォーマット（ＣＨ−Ｂ）へのチャネル切替えを行った受信部（＃１）３−１の同期がＮＧとなった場合、チャネル切替えを行わずに、データフォーマット（ＣＨ−Ａ）のまま保持した受信部（＃２）３−２がデータフォーマット（ＣＨ−Ａ）のパイロット信号を使用して受信信号の同期判定を行う。
【００５８】
受信部（＃２）３−２の同期判定がＯＫ（正常）となった場合（図２のＣ９）、移動通信端末は送信部６及び受信部（＃１）３−１を再びデータフォーマット（ＣＨ−Ｂ）からデータフォーマット（ＣＨ−Ａ）へ切替える（図２のＣ１０，Ｃ１１）。この場合、同期判定がＮＧの時の受信部（＃１）３−１の受信データを破棄し、同期判定ＯＫの受信部（＃２）３−２の受信データのみを処理することによって、受信エラーフリーの通信を続けることができる。
【００５９】
その後、ネットワークはタイマ（図示せず）によって、移動通信端末に対してデータフォーマット（ＣＨ−Ａ）からデータフォーマット（ＣＨ−Ｂ）への切替指示を再送する（図２のＣ１２，Ｃ１３）。再び切替指示を受信した移動通信端末は応答（ＡＣＫ）を返してから、切替タイミングを待ってデータフォーマット（ＣＨ−Ａ）からデータフォーマット（ＣＨ−Ｂ）への切替動作を行う。
【００６０】
但し、先ほどと同様に、移動通信端末の受信部を受信部（＃１）３−１と受信部（＃２）３−２との二つに分けて、送信部６及び受信部（＃１）３−１のみデータフォーマット（ＣＨ−Ａ）からデータフォーマット（ＣＨ−Ｂ）への切替動作を行い（図２のＣ１６，Ｃ１７）、受信部（＃２）３−２はデータフォーマット（ＣＨ−Ａ）のまま保持する（図２のＣ１８）。
【００６１】
一方、ネットワークは応答（ＡＣＫ）を受信することで、移動通信端末がデータフォーマット（ＣＨ−Ａ）からデータフォーマット（ＣＨ−Ｂ）への切替動作を行うことを確認し、切替タイミングを待ってデータフォーマット（ＣＨ−Ａ）からデータフォーマット（ＣＨ−Ｂ）への切替動作を行う（図２のＣ１５）。
【００６２】
移動通信端末の受信部（＃１）３−１はデータフォーマット（ＣＨ−Ｂ）への切替え後、データフォーマット（ＣＨ−Ｂ）のパイロット信号を使用して受信信号の同期確立判定を行い、今度はネットワークもデータフォーマット（ＣＨ−Ｂ）へ切替えているので、同期確立がＯＫとなる。
【００６３】
データフォーマット（ＣＨ−Ｂ）へのチャネル切替えを行った受信部（＃１）３−１の同期がＯＫとなった場合（図２のＣ１９）、データフォーマット（ＣＨ−Ａ）からデータフォーマット（ＣＨ−Ｂ）への切替完了をネットワークに対して通知する（図２のＣ２０）。同時に、チャネル切替えを行わずに、データフォーマット（ＣＨ−Ａ）のまま保持した受信部（＃２）３−２もデータフォーマット（ＣＨ−Ａ）からデータフォーマット（ＣＨ−Ｂ）への切替動作を行う（図２のＣ２１）。
【００６４】
この場合、データフォーマット（ＣＨ−Ａ）を保持したまま受信した時の受信部（＃２）３−２の受信データは破棄し、同期判定がＯＫの受信部（＃１）３−１の受信データのみを処理することによって、受信エラーフリーの通信を続けることができる。
【００６５】
上記のチャネル切替方法を実現するために、移動通信端末において、二つの受信部［受信部（＃１）３−１及び受信部（＃２）３−２］を持つ必要がある。ＣＤＭＡ方式の移動通信端末においては、一般に、マルチパス受信やソフトハンドオーバを行うために複数のフィンガ受信機を持っているため、１つ以上のフィンガ受信機にパイロット信号を使用した同期判定部を組合わせた受信部を二つ構成することで実現することができる。各フィンガ受信機はチャネル切替え時以外の時に、通常の動作を行う（マルチパス受信やソフトハンドオーバ等）。
【００６６】
図３は本発明の一実施例によるチャネル切替え時の動作を示すフローチャートである。これら図１及び図３を参照して本発明の一実施例によるチャネル切替え時の動作について説明する。
【００６７】
移動通信端末があるデータフォーマット（ＣＨ−Ａ）でネットワークと通信中の場合（図３ステップＳ１）、ネットワークから別のデータフォーマット（ＣＨ−Ｂ）への切替指示（レイヤ３メッセージ）を受信すると（図３ステップＳ２）、移動通信端末はネットワークへデータフォーマット（ＣＨ−Ａ）からデータフォーマット（ＣＨ−Ｂ）への切替指示に対する応答（Ａｃｋ）を送信する（図３ステップＳ３）。
【００６８】
その後、移動通信端末において、送信部６及び受信部（＃１）３−１はデータフォーマット（ＣＨ−Ａ）からデータフォーマット（ＣＨ−Ｂ）への切替えを行い、受信部（＃２）３−２はデータフォーマット（ＣＨ−Ａ）を保持する（図３ステップＳ４）。
【００６９】
この後、移動通信端末は受信部（＃１）３−１で同期確立がＯＫになると（図３ステップＳ５）、ネットワークへデータフォーマット（ＣＨ−Ａ）からデータフォーマット（ＣＨ−Ｂ）への切替完了（レイヤ３メッセージ）を送信する（図３ステップＳ６）。
【００７０】
続いて、移動通信端末は受信部（＃２）３−２をデータフォーマット（ＣＨ−Ａ）からデータフォーマット（ＣＨ−Ｂ）へ切替え（図３ステップＳ７）、データフォーマット（ＣＨ−Ｂ）でネットワークと通信を行う（図３ステップＳ８）。
【００７１】
一方、移動通信端末は受信部（＃１）３−１で同期確立がＮＧになると（図３ステップＳ５）、受信部（＃２）３−２の同期確立がＯＫであれば（図３ステップＳ９）、送信部６及び受信部（＃１）３−１をデータフォーマット（ＣＨ−Ｂ）からデータフォーマット（ＣＨ−Ａ）へ切替えた後、ステップＳ１へ戻ってデータフォーマット（ＣＨ−Ｂ）への切替指示の再送待ちとなる。
【００７２】
これに対し、移動通信端末は受信部（＃２）３−２の同期確立がＮＧであれば（図３ステップＳ９）、ステップＳ１へ戻ってデータフォーマット（ＣＨ−Ｂ）への切替指示の再送待ちとなる。
【００７３】
このように、本実施例では、ＣＤＭＡ方式の移動通信端末に１つ以上のフィンガ（＃１〜＃ｍ）部３１−１〜３１−ｍ及びフィンガ（＃ｍ＋１〜＃ｎ）部３１−（ｍ＋１）〜３１−ｎと同期判定部３３−１，３３−２とを持つ２系統の受信部（＃１）３２−１及び受信部（＃２）３２−２を構成し、チャネル切替え時において、切替え前及び切替え後のそれぞれのチャネル設定でデータ受信及び同期判定を行うことによって、ネットワークがチャネル切替えを行ったかどうかを判定し、ネットワークと移動通信端末とのチャネル切替タイミングを合わせることができる。
【００７４】
よって、本実施例では、ＣＤＭＡ方式の移動通信端末において、通信中のサービスベアラの追加や削除、データ通信レートの変更、または拡散コードの変更等によるチャネル切替シーケンスの成功率を上げることができる。
【００７５】
また、本実施例では、ＣＤＭＡ方式の移動通信端末に２系統の受信部（＃１）３２−１及び受信部（＃２）３２−２を構成し、チャネル切替え時において、切替え前及び切替え後のそれぞれのチャネル設定でデータ受信及び同期判定を行い、同期判定結果がＮＧである受信部のユーザデータを破棄し、同期判定結果がＯＫである受信部のユーザデータのみを処理している。これによって、ＣＤＭＡ方式移動通信端末において、チャネル切替え時のユーザデータのエラー発生確率を低減することができる。
【００７６】
尚、請求項の記載に関連して本発明はさらに次の態様をとりうる。
【００７７】
（１）ネットワークとの間でチャネル切替えを行う移動通信端末であって、
前記ネットワークから前記チャネル切替えが指示された時にチャネル切替え前のチャネル設定パラメータを使用してデータ受信及び同期判定を行う第１の受信機と、
前記ネットワークから前記チャネル切替えが指示された時にチャネル切替え後のチャネル設定パラメータを使用してデータ受信及び同期判定を行う第２の受信機とを有し、
前記第１及び第２の受信機が同時に前記データ受信及び同期判定を行うようにし、
前記チャネル切替えが、前記移動通信端末が通信中に行われる物理的なスロットフォーマットの変更であることを特徴とする移動通信端末。
【００７８】
（２）前記チャネル切替え後のチャネル設定パラメータで受信したデータの同期判定結果が正常の時に前記ネットワークにおけるチャネル切替えが完了したと判定することを特徴とする（１）記載の移動通信端末。
【００７９】
（３）前記チャネル切替え後のチャネル設定パラメータで受信したデータの同期判定結果が異常かつ前記チャネル切替え前のチャネル設定パラメータで受信したデータの同期判定結果が正常の時に前記ネットワークにおけるチャネル切替えが完了していないと判定することを特徴とする（１）記載の移動通信端末。
【００８０】
（４）前記ネットワークにおけるチャネル切替えが完了したと判定した時に前記チャネル切替え前のチャネル設定パラメータを使用したデータ受信及び同期判定を停止し、前記チャネル切替え後のチャネル設定パラメータを使用したデータ受信及び同期判定を継続することを特徴とする（１）または（２）記載の移動通信端末。
【００８１】
（５）前記ネットワークにおけるチャネル切替えが完了していないと判定した時に前記チャネル切替え後のチャネル設定パラメータを使用したデータ受信及び同期判定を停止し、前記チャネル切替え前のチャネル設定パラメータを使用したデータ受信及び同期判定を継続することを特徴とする（１）または（３）記載の移動通信端末。
【００８２】
（６）前記同期判定の結果が異常であるユーザデータを破棄し、前記同期判定の結果が正常であるユーザデータのみを処理することを特徴とする（１）から（５）のいずれか記載の移動通信端末。
【００８３】
【発明の効果】
以上説明したように本発明のチャネル切替方法は、ネットワークと移動通信端末とのチャネル切替えを行う際に、ネットワークからチャネル切替えが指示された時にチャネル切替え前のチャネル設定パラメータを使用したデータ受信及び同期判定とチャネル切替え後のチャネル設定パラメータを使用したデータ受信及び同期判定とを同時に行うことによって、チャネル切替シーケンスの成功率を上げることができるという効果が得られる。
【００８４】
また、本発明の他のチャネル切替方法は、上記の同期判定の結果が異常であるユーザデータを破棄し、上記の同期判定の結果が正常であるユーザデータのみを処理することによって、チャネル切替え時のユーザデータのエラー発生確率を低減することができるという効果が得られる。
【図面の簡単な説明】
【図１】本発明の一実施例による移動通信端末の構成を示すブロック図である。
【図２】本発明の一実施例によるチャネル切替動作を示すシーケンスチャートである。
【図３】本発明の一実施例によるチャネル切替え時の動作を示すフローチャートである。
【図４】従来のレート切替え前及びレート切替え後のデータフォーマットを示す図である。
【図５】従来例によるチャネル切替動作を示すシーケンスチャートである。
【図６】従来例によるチャネル切替えを失敗した時の動作を示すシーケンスチャートである。
【符号の説明】
１  アンテナ
２  無線部
３−１  受信部（＃１）
３−２  受信部（＃２）
４  合成部
５  データ処理部
６  送信部
７  制御部
３１−１〜３１−ｍ  フィンガ（＃１〜＃ｍ）部
３１−（ｍ＋１）〜３１−ｎ  フィンガ（＃ｍ＋１〜＃ｎ）部
３２−１，３２−２  合成部
３３−１，３３−２  同期判定部
【図１】
0003630134.tif 000002
【図２】
0003630134.tif 000003
【図３】
0003630134.tif 000004
【図４】
0003630134.tif 000005
【図５】
0003630134.tif 000006
【図６】
0003630134.tif 000007